(57)【要約】【課題】上着を着たり脱いだりするときに、ベルト通し部からベルトの端部が抜けてしまうことを確実に阻止することによって着脱がし易い釣り用上着を提供する。【解決手段】左右に開閉自在な前身頃１と前身頃１に連結される後身頃２とを備え、前身頃１及び後身頃２のそれぞれに、浮力材５，６，７，８，１６，２０，２２を備え、少なくとも前身頃１の裏側に備えたベルト通し部３６，３７，３８に通すベルト３９を備え、前記全てのベルト通し部３６，３７，３８に通したベルトの端部の係合部を前方で係合することにより該ベルトが輪状部となって前身頃１及び後身頃２を身体に密着させるように構成され、前身頃１にあって全てのベルト通し部３６，３７，３８に通したベルト３９の端部付近に位置するベルト通し部に被係合部４７を備え、かつ、被係合部４７と着脱自在に係合する係合部４８をベルト３９の端部に備えた。【選択図】図２
2014156678.tif 000002
【特許請求の範囲】
【請求項１】
左右に開閉自在な前身頃と該前身頃に連結される後身頃とを備え、それら前身頃及び後身頃のそれぞれに、浮力材を備え、少なくとも前身頃の裏側に、ベルト通し部を備え、該全てのベルト通し部に通すベルトを備え、該ベルトの端部に、該端部同士を係合するための係合解除自在な係合部を備え、前記全てのベルト通し部に通したベルトの端部の係合部を前方で係合することにより該ベルトが輪状部となって前身頃及び後身頃を身体に密着させるように構成された釣り用上着であって、
前記前身頃にあって前記全てのベルト通し部に通したベルトの端部付近に位置するベルト通し部に被係合部を備え、かつ、該被係合部と着脱自在に係合する係合部を前記ベルトの端部に備えていることを特徴とする釣り用上着。
【請求項２】
前記被係合部及び係合部が、雄雌の面ファスナーからなり、一方の面ファスナーを前記ベルト通し部の身体側となる内側面に設け、前記ベルトの端部に、身体側となる内側に折り返される折り返し部を備え、該折り返し部の両面のうちのベルト通し部側の面に、前記他方の面ファスナーを設けていることを特徴とする請求項１に記載の釣り用上着。
【請求項３】
前記折り返し部の面ファスナーと係合して該折り返し部を前記ベルトに重ね合わせた状態で両者を一体化するための別の面ファスナーを該ベルトに更に備えていることを特徴とする請求項２に記載の釣り用上着。
【発明の詳細な説明】
【技術分野】
【０００１】
本発明は、釣り用上着に関する。
【背景技術】
【０００２】
釣り用上着としては、例えばフローティングベストが挙げられる。これは、前側で左右に開閉自在な前身頃と前身頃に連結される後身頃とを備え、それら前身頃及び後身頃のそれぞれに、例えばＰＶＣ、ＰＥ、ＥＶＡ等からなる固形状の浮力材を備えて、落水時に身体を水面から浮かせることができるようにしている。
【０００３】
そして、このようなフローティングベストには、前身頃及び後身頃の裏側に備えている多数のベルト通し部に一本のベルトが通されている。従って、フローティングベストの着用時に、ベルトの両端に備えている係合部であるバックルを前方で係合することによって、ベルトが輪状部となって前身頃及び後身頃を身体に密着させることができる。これにより、前身頃及び後身頃に備えている浮力材の浮力を有効に作用させて、落水時に浮遊姿勢を安定させて身体を水面から確実に浮かせることができる。
【０００４】
そして、前記ベルトの端部がベルト通し部にベルト通し方向において移動自在に通されている（例えば、特許文献１参照）。
【先行技術文献】
【特許文献】
【０００５】
【特許文献１】特開２０１１−１５７６６５号公報（図２参照）
【発明の概要】
【発明が解決しようとする課題】
【０００６】
上記のように、ベルトの端部がベルト通し部にベルト通し方向において移動自在に通されている構成では、フローティングベストを着たり脱いだりするために、前身頃を左右に大きく広げたときに、ベルト通し部からベルトの端部が抜けてしまうことがある。このように抜けてしまうと、着用した状態でベルト通し部にベルトの端部を再度通さなければならず、面倒であった。
【０００７】
本発明は、前述の状況に鑑みてなされ、上着を着たり脱いだりするときに、ベルト通し部からベルトの端部が抜けてしまうことを確実に阻止することによって着脱がし易い釣り用上着を提供することにある。
【課題を解決するための手段】
【０００８】
本発明の釣り用上着は、前述の課題解決のために、左右に開閉自在な前身頃と該前身頃に連結される後身頃とを備え、それら前身頃及び後身頃のそれぞれに、浮力材を備え、少なくとも前身頃の裏側に、ベルト通し部を備え、該全てのベルト通し部に通すベルトを備え、該ベルトの端部に、該端部同士を係合するための係合解除自在な係合部を備え、前記全てのベルト通し部に通したベルトの端部の係合部を前方で係合することにより該ベルトが輪状部となって前身頃及び後身頃を身体に密着させるように構成された釣り用上着であって、前記前身頃にあって前記全てのベルト通し部に通したベルトの端部付近に位置するベルト通し部に被係合部を備え、かつ、該被係合部と着脱自在に係合する係合部を前記ベルトの端部に備えていることを特徴としている。
【０００９】
本発明によれば、全てのベルト通し部にベルトを通した状態において、ベルトの端部付近に位置するベルト通し部に備えた被係止部にベルトの端部に備えた係合部を係合しておけば、ベルトの端部がベルト通し部に係合力により固定されることから、上着を着たり脱いだりするときに、ベルト通し部からベルトの端部が抜けてしまうことを確実に阻止することができる。また、ベルト通し部にベルトの端部を固定する必要がないとき、つまり上着を着たり脱いだりしないときにおいては、係合を解除してベルト通し部に対するベルトの端部の位置を自由に変更することができる。
【００１０】
また、本発明の釣り用上着は、前記被係合部及び係合部が、雄雌の面ファスナーからなり、一方の面ファスナーを前記ベルト通し部の身体側となる内側面に設け、前記ベルトの端部に、身体側となる内側に折り返される折り返し部を備え、該折り返し部の両面のうちのベルト通し部側の面に、前記他方の面ファスナーを設けていてもよい。
【００１１】
上記のように、ベルト通し部の身体側となる内側面に設けられた一方の面ファスナーと折り返し部のベルト通し部側の面に備えた他方の面ファスナーとが係合することによって、係合が解除され難く、ベルト通し部からベルトの端部が抜けてしまうことを確実に阻止することができる。また、被係合部及び係合部が、雄雌の面ファスナーから構成することによって、一方の面ファスナーに対する他方の面ファスナーの係合位置を少しずらすことによって、ベルト通し部に対するベルトの端部の固定位置を微調整することができる。
【００１２】
また、本発明の釣り用上着は、前記折り返し部の面ファスナーと係合して該折り返し部を前記ベルトに重ね合わせた状態で両者を一体化するための別の面ファスナーを該ベルトに更に備えていてもよい。
【００１３】
上記のように、上着を装着した後に、折り返し部をベルトに重ね合わせた状態で両者を一体化することによって、装着者に合った位置にベルトの端部位置を変更することができ、取扱（使用）面において便利である。
【発明の効果】
【００１４】
本発明のように、ベルト通し部に備えた被係止部にベルトの端部に備えた係合部を係合しておけば、上着を着たり脱いだりするときに、ベルト通し部からベルトの端部が抜けてしまうことを確実に阻止することによって着脱がし易い釣り用上着を提供することができる。
【図面の簡単な説明】
【００１５】
【図１】本発明の釣り用上着を着用した状態の正面図である。
【図２】同釣り用上着の左右の前身頃を横に開放して内側が見えるようにした正面図である。
【図３】ベルトの端部をベルト通し部に固定した状態を示す固定構造の斜視図である。
【図４】図３におけるＡ−Ａ線断面図を示し、（ａ）は面ファスナーの係合が完了する直前の状態を示し、（ｂ）は係合が完了した状態を示している。
【図５】（ａ），（ｂ）はベルトの端部をベルト通し部に固定する固定構造の他の実施形態を示す横断平面図である。
【図６】（ａ），（ｂ）はベルトの端部をベルト通し部に固定する固定構造の他の実施形態を示す横断平面図である。
【発明を実施するための形態】
【００１６】
図１及び図２に、浮力材を備えた釣り用上着の一例である袖なしの上着であるベストを示している。このベストは、例えばルアーフィッシングの釣りの際に装着されるフローティングベストとして使用される他、各種の釣りである磯釣り、波止釣り、船釣り等で使用してもよい。
【００１７】
ベストは、前身頃１と、この前身頃１の左右両端に帯状部材Ｂ１，Ｂ２により横方向で連結される後身頃２とを有する上着本体を備えている。前身頃１は、左前身頃３と右前身頃４とを備え、左右中央部を左右に開閉自在な観音開き式の左右の前身頃に構成されている。左前身頃３は、前方に位置するメインの左前身頃３Ａと、このメインの左前身頃３Ａの後端に配置され、メインの左前身頃３Ａよりも小さなサブの左前身頃３Ｂとを備えている。また、右前身頃４は、前方に位置するメインの右前身頃４Ａと、このメインの右前身頃４Ａの後端に配置され、メインの右前身頃４Ａよりも小さなサブの右前身頃４Ｂとを備えている。そして、メインの前身頃３Ａ，４Ａの内部に、複数の固形状の浮力材５，５、７，７を備え、サブの前身頃３Ｂ，４Ｂの内部に、１個の固形状の浮力材６，８を備えている。尚、これら浮力材５，６，７，８の形状及び個数は自由に変更できる。また、左前身頃３及び右前身頃４の左右方向中心部側端には、両側端を閉じるためのスライドファスナー９を備えるとともに、このスライドファスナー９の前方に位置しかつ後述する左右のポケット１５，１９間を閉じる補助ベルト１０を備えている。この補助ベルト１０は、左右のポケット１５，１９に一端が連結された左右一対の帯状部材１１，１１と、帯状部材１１，１１の他端に取り付けられた係合及び係合解除自在な左右一対の雄雌部材１２，１２からなるバックル１３とを有している。
【００１８】
前記メインの左前身頃３Ａの上側に第１ポケット１４を備え、下側に第１ポケット１４よりも大きく、該左前身頃３Ａから離間する外側に張り出すマチ部１５Ａを有する第２ポケット１５を備えている。第２ポケット１５の前側部分にポケット１５の上下寸法と略同一でかつ左右幅寸法と略同一の寸法を有する固形状で矩形状の浮力材１６を備えている。また、第２ポケット１５の前面には、斜めに開口する前側の開口部を閉じるファスナー１７を備えるとともに、第２ポケット１５のマチ部１５Ａには、第２ポケット１５の横側部の開口部を開閉するためのファスナー１８を備えている。
【００１９】
また、メインの右前身頃４Ａの下側に第２ポケット１５と同じような大きさを有し、右前身頃４Ａから離間する外側に張り出すマチ部１９Ａを有する第３ポケット１９を備えている。第３ポケット１９の前側部分に第３ポケット１９の上下寸法と略同一でかつ左右幅寸法と略同一の寸法を有する固形状で矩形状の浮力材２０を備えている。第３ポケット１９のマチ部１９Ａには、第３ポケット１４の横側部の開口部を開閉するためのファスナー２１を備えている。このようにポケット１５，１９の前側部分にも、浮力材１６，２０を備えさせることによって、効率よく浮力をアップさせることができる。
【００２０】
後身頃２の内部にも、５つの浮力材２２，２２，２２，２２，２２を備えている。浮力材の個数は、図２に示す５つに限定されるものではない。
【００２１】
また、左前身頃３の上端及び右前身頃４の上端が後身頃２の上端に帯状のベルト２３，２４を介して連結されている。ベルト２３，２４は、後身頃２の上端から延びる肩当て２５，２６に挿通されている。
【００２２】
前記左前身頃３は、前記浮力材５，５，６を収納するための表生地２７と裏生地２８とからなる左側収納袋から構成されている。又、前記右前身頃４は、前記浮力材７，７，８を収納するための表生地２９と裏生地３０とからなる右側収納袋から構成されている。前記表生地２７，２９に、ポケット１５，１９が取り付けられている。また、後身頃２も同様に、前記浮力材２２，２２，２２，２２，２２を収納するための表生地３１と裏生地３２とからなる後側収納袋から構成されている。
【００２３】
図２に示すように、左側収納袋の裏生地２８、右側収納袋の裏生地３０、後側収納袋の裏生地３２は、下端よりも少し上方の位置から上端までの範囲に渡る上下方向に長尺な第１生地２８Ａ，３０Ａ，３２Ａと、下端から少し上方の位置までの範囲に渡り、かつ、第１生地２８Ａ、３０Ａ、３２Ａの下部と一部重複するように該第１生地２８Ａ、３０Ａ、３２Ａの下端よりも上方に位置する上端を有する上下方向に短尺な第２生地２８Ｂ、３０Ｂ、３２Ｂとを備え、第１生地２８Ａ、３０Ａ、３２Ａと第２生地２８Ｂ、３０Ｂ、３２Ｂとをそれらの重複部分に備えた複数のドット釦３３，３４，３５により連結している。従って、ドット釦３３，３４，３５の係合を解除することにより、第１生地２８Ａ、３０Ａ、３２Ａと第２生地２８Ｂ、３０Ｂ、３２Ｂとの間を開口させて浮力材５，５，６、７，７，８、２２，２２，２２，２２，２２を左前身頃３、右前身頃４、後身頃２の下側から取り出すことができるようになっている。前記第２生地２８Ｂ、３０Ｂ、３２Ｂは、変形し難い強度を有する材料によりメッシュ状に構成されており、前身頃１及び後身頃２に入り込んだ水を第２生地２８Ｂ、３０Ｂ、３２Ｂを通して外部へ迅速に排出することができるようにしている。しかも、裏側の下部の第２生地２８Ｂ、３０Ｂ、３２Ｂのみであるため、前側からは第２生地２８Ｂ、３０Ｂ、３２Ｂが見えないため、意匠感の優れた上着本体でありながら、前身頃１及び後身頃２に入り込んだ水を確実に排出することができる。
【００２４】
前身頃１及び後身頃２の裏側となる裏生地２８，３０，３２に、ベルト通し部３６，３７，３８を取り付けている。そして、これらベルト通し部３６，３７，３８に通して前身頃１と後身頃２を身体に密着させるための一本のベルト３９を備えている。
【００２５】
前記ベルト通し部３６，３７，３８は、左前身頃３の裏生地２８に、１本の第１ベルト通し部３６を取り付け、右前身頃４に、１本の第２ベルト通し部３７を備え、後身頃２の裏生地３２に同一左右幅を有する３本の第３ベルト通し部３８を取り付けている。
【００２６】
前記３本の第３ベルト通し部３８は、後身頃２の裏生地３２の上下方向略中央位置でかつ左右両端及び中央の３箇所に振り分けて設けられている。そして、各第３ベルト通し部３８の上下端が、後身頃２の裏生地３２の上下方向略中央に上下方向に所定間隔をおいて平行に縫着された上下一対の帯状体４０，４１間でかつ帯状体４０，４１の内側に亘る状態で縫着されている。図２に多数の×マークを記載した部分が縫着部４０Ｈ，４１Ｈを示している。そして、後身頃２の裏生地３２の左右方向中央に位置する第３ベルト通し部３８の上下方向中央部には、ベルト３９を第３ベルト通し部３８に固定するためのドット釦を備えている。このドット釦は、ベルト側に設けられた雄型部材（図示せず）と、この雄型部材に係合するように第３ベルト通し部３８側に設けられた雌型部材４２とからなっている。
【００２７】
図２及び図３に示すように、第１ベルト通し部３６は、第３ベルト通し部３８よりも左右幅が大きく構成され、孔が形成された柔軟性を有する第１部材３６Ａと、この第１部材３６Ａの左右両端のそれぞれを挟み込むように設けられた柔軟性を有する左右一対の第２部材３６Ｂ，３６Ｂとを備えている。また、第２ベルト通し部３７は、第１ベルト通し部３６と同一構成であり、前述同様に、第３ベルト通し部３８よりも左右幅が大きく構成され、孔が形成された柔軟性を有する第１部材３７Ａと、この第１部材３７Ａの左右両端のそれぞれを挟み込むように設けられた柔軟性を有する左右一対の第２部材３７Ｂ，３７Ｂとを備えている。また、第１ベルト通し部３６は、左前身頃３の裏生地２８の左右方向略中央でかつ上下方向略中央に取り付けられ、第２ベルト通し部３７は、右前身頃４の裏生地３０の左右方向略中央でかつ上下方向略中央に取り付けられている。具体的には、第１ベルト通し部３６は、左前身頃３の裏生地２８の上下方向略中央に上下方向に所定間隔を置いて平行に設けられた上下一対の帯状体４３，４４間でかつ帯状体４３，４４の内側に亘る状態で縫着されている。図２に多数の×マークを記載した部分が縫着部４３Ｈ，４４Ｈを示している。また、第２ベルト通し部３７は、右前身頃４の裏生地３０の上下方向略中央に上下方向に所定間隔を置いて平行に設けられた上下一対の帯状体４５，４６間でかつ帯状体４５，４６の内側に亘る状態で縫着されている。図２に多数の×マークを記載した部分が縫着部４５Ｈ，４６Ｈを示している。また、図２において、説明していない×マークを記載した部分も縫着部であることを示している。
【００２８】
前記ベルト３９の一端（右側端）には、雄部材３９Ａが備えられ、他端（左側端）には、雄部材３９Ａを挿入して係合可能な雌部材３９Ｂが備えられて、係合解除自在な係合部であるバックルを構成している。従って、上着本体を身体に着てからベルト３９の雄部材３９Ａを雌部材３９Ｂに挿入することにより、両者が係合して輪状部となったベルト３９で前身頃１及び後身頃２を身体に密着させることができる。
【００２９】
前記全てのベルト通し部３６，３７，３８，３８，３８にベルト３９を通した状態において、前身頃１の左前見頃３及び右前身頃４にあってベルト３９の両端部付近に位置する第１ベルト通し部３６及び第２ベルト通し部３７に被係合部としての雌型の面ファスナー４７を備え、かつ、雌型の面ファスナー４７と着脱自在に係合する係合部としての雄型の面ファスナー４８を全てのベルト通し部３６，３７，３８，３８，３８に通したベルト３９の両端部のそれぞれに備えており、ベルト３９の両端部を第１ベルト通し部３６及び第２ベルト通し部３７に固定できるようにしている。尚、第１ベルト通し部３６及び第２ベルト通し部３７の固定構造が同一であるため、右側の第２ベルト通し部３７の固定構造について説明する。また、面ファスナー４７は、ベルト通し部３６，３７へ縫着により固定されているが、接着剤又は粘着テープを用いる、あるいはボタンにより係合させて固定されてもよい。また、面ファスナー４８も同様に、ベルト３９へ縫着により固定されているが、接着剤又は粘着テープを用いる、あるいはボタンにより係合させて固定されてもよい。
【００３０】
具体的には、図３及び図４（ａ），（ｂ）に示すように、前記雌型の面ファスナー４７は、第２ベルト通し部３７の身体側となる内側面、つまり第１部材３７Ａ及び第２部材３７Ｂの内側面３７Ｕに当て付けて縫着され、前記雄型の面ファスナー４８は、ベルト３９の両端部に備えた折り返し部３９Ｚの両面のうちのベルト通し部側の面３９Ｓに設けられている。
【００３１】
前記折り返し部３９Ｚは、身体側となる内側に折り返され、折り返された折り返し部３９Ｚの基端部３９ａがこれと対応するベルト３９の部分に縫着され、折り返し部３９Ｚの先端部３９ｂが自由端に構成されている。
【００３２】
また、図２に示すように、ベルト３９の第１ベルト通し部３６と第３ベルト通し部３８との間に、ベルト３９の長さを調節するための長さ調節具Ｇを備えており、身体の胴回りのサイズに応じてベルト３９の長さを調節することができる。また、ベルト３９の第２ベルト通し部３７と第３ベルト通し部３８との間にも、同じようにベルト３９の長さを調節するための長さ調節具Ｇを備えており、ベルト３９の両側でベルト３９の長さを調節することができるようになっている。
【００３３】
前記ベルト３９が全てのベルト通し部３６，３７，３８，３８，３８に通されている状態において、ベルト３９の両端部に備えている面ファスナー４８をベルト通し部３６，３７に備えている面ファスナー４７にそれぞれ係合する（図２及び図４（ｂ）に参照）。このように面ファスナー４７，４８を係合しておけば、ベルト３９の両端部がベルト通し部３６，３７に係合力により固定されることから、上着を着たり脱いだりするために、左前身頃３と右前身頃４とを左右に大きく広げたときに、ベルト通し部３６，３７からベルト３９の両端部が抜けてしまうことを阻止することができる。また、ベルト通し部３６，３７にベルト３９の両端部を固定する必要がないとき、つまり上着を着たり脱いだりしないときにおいては、係合を解除してベルト通し部３６，３７に対するベルト３９の端部の位置を自由に変更することができる。また、被係合部及び係合部が、雄雌の面ファスナー４７，４８から構成することによって、一方の面ファスナー４７に対する他方の面ファスナー４８の係合位置を少しずらすことによって、ベルト通し部３６，３７に対するベルト３９の端部の固定位置を微調整することができる。また、面ファスナー４７，４８のうちの一方の面ファスナー（図４では４８）のベルト長手方向の長さを他方の面ファスナー（図４では４７）のベルト長手方向の長さよりも長く設定しておけば、一方の面ファスナー４７に対する他方の面ファスナー４８の係合位置を変更できる幅を大きくすることができ、その分ベルト通し部３６，３７に対するベルト３９の端部の固定位置の調整幅を大きく取ることができる。
【００３４】
図５（ａ）に示すように、前記折り返し部３９Ｚの面ファスナー４８と係合して折り返し部３９Ｚをベルト３９に重ね合わせた状態で両者を一体化するための別の面ファスナー４９（ここでは雌型の面ファスナー）をベルト３９の身体側の面（内側面）に更に備えることもできる。このように構成することによって、上着を装着した後に、図５（ｂ）に示すように、折り返し部３９Ｚをベルト３９に重ね合わせた状態で両者を一体化することができる。これによって、装着者に合った位置にベルト３９の端部位置を図５（ｂ）の矢印で示す方向に変更することができ、取扱（使用）面において便利である。尚、ベルト３９の端部位置の変更は、ベルト通し部３６，３７から外れないように行うことになる。図５（ａ）では、２つの面ファスナー４７，４８が係合する直前の状態を示している。
【００３５】
尚、本発明は、上記実施形態に限定されるものではなく、本発明の要旨を逸脱しない範囲で種々の変更が可能である。
【００３６】
前記実施形態では、釣り用上着として、袖なしのベストを示したが、袖ありの上着であってもよい。
【００３７】
また、前記実施形態では、ベルト３９の端部を折り返した折り返し部３９Ｚに面ファスナー４８を取り付けたが、面ファスナー４８を取り付ける位置は自由に変更できる。例えば、図６（ａ）に示すように取り付けてもよい。図６（ａ）では、折り返し部３９Ｚの無いベルト３９の身体側の面（内側面）のうちのベルト端部に備える雄部材３９Ａ付近に、面ファスナー４８を縫着などにより取り付けるとともに、この面ファスナー４８と係合及び係合解除自在な面ファスナー４７をベルト通し部３７の裏生地３０側の面３７Ｗに縫着などにより取り付けている。また、図６（ｂ）に示すように取り付けてもよい。図６（ｂ）では、ベルト３９の身体側の面（内側面）でかつベルト通し部３７よりも後身頃２側の位置に、ベルト３９とは別の部材からなる延出部材５０を取り付け、その延出部材５０の先端側に面ファスナー４８を取り付けている。前記延出部材５０の他端がベルト３９の端部側に向かうように、延出部材５０の一端をベルト３９に縫着して固定している。
【００３８】
また、前記実施形態では、ベルト３９の両端部をベルト通し部３６，３７に固定する構成としたが、ベルト３９の少なくとも一端部をベルト通し部３６又は３７に固定する構成であってもよい。
【００３９】
また、前記実施形態では、被係合部及び係合部を面ファスナーから構成することによって、係合位置の微調整を行える構成としたが、ボタンやフック等の係合及び係合解除自在な部材であれば、どのような部材であってもよい。
【００４０】
また、前記実施形態では、固形材からなる浮力材を用いたが、エアを注入することができる膨張可能な浮力材を用いてもよい。
【００４１】
また、前記実施形態では、前身頃１及び後身頃２の両方にベルト通し部３６，３７，３８を取り付けたが、前身頃１のみに取り付けて実施してもよい。この前身頃１のみにベルト通し部を取り付けて実施する場合には、ベルト３９の後見頃２に対応する部分を後見頃２の裏側に縫着又はボタンあるいは接着剤等により固定することになる。
【符号の説明】
【００４２】
１…前身頃、２…後身頃、３…左前身頃、３Ａ…メインの左前身頃、３Ｂ…サブの左前身頃、４…右前身頃、４Ａ…メインの右前身頃、４Ｂ…サブの右前身頃、５，６，７，８，１６，２０，２２…浮力材、９…スライドファスナー、１０…補助ベルト、１１…帯状部材、１２…雄雌部材、１３…バックル、１４，１５，１９…ポケット、１５Ａ，１９Ａ…マチ部、１７，１８…ファスナー、２１…ファスナー、２３，２４…ベルト、２５，２６…肩当て、２７，２９，３１…表生地、２８，３０，３２…裏生地、２８Ａ，３０Ａ，３２Ａ…第１生地、２８Ｂ，３０Ｂ，３２Ｂ…第２生地、３３，３４，３５…ドット釦、３６，３７，３８…ベルト通し部、３６Ａ，３７Ａ…第１部材、３６Ｂ，３７Ｂ…第２部材、３７Ｕ…内側面、３７Ｗ…面、３９…ベルト、３９Ａ…雄部材、３９Ｂ…雌部材、３９Ｓ…面、３９Ｚ…折り返し部、３９ａ…基端部、３９ｂ…先端部、４０，４１…帯状体、４０Ｈ，４１Ｈ…縫着部、４２…雌型部材、４３，４４…帯状体、４３Ｈ，４４Ｈ…縫着部、４５，４６…帯状体、４５Ｈ，４６Ｈ…縫着部、４７，４８，４９…面ファスナー、５０…延出部材、Ｇ…調節具
【図１】
2014156678.tif 000003
【図２】
2014156678.tif 000004
【図３】
2014156678.tif 000005
【図４】
2014156678.tif 000006
【図５】
2014156678.tif 000007
【図６】
2014156678.tif 000008